(57)【要約】【課題】ヘッドバンドの周長を調節して人頭に密着させる操作が簡単なだけでなく、ヘッドバンドが人頭に密着した状態を円滑に解除することができるヘルメットを提供する。【解決手段】ヘッドバンド３の後頭部側に位置する両端部の夫々に基端部が接続された一対の調節帯７が、調節機構１３において互いに交差して斜め下方に延びる。各調節帯７の先端部を互いに離反する方向に引っ張り操作することによりヘッドバンド３の周長を人頭の外周寸法に合わせる。各調節帯７は、その先端部に設けた接続部８を介して夫々の耳下紐４に接続される。各調節帯７の接続部８は、耳下紐４を挿通させる挿通部１２を備え、挿通部１２に挿通する耳下紐４に沿って移動自在とされている。【選択図】図１
2015059279.tif 000002
【特許請求の範囲】
【請求項１】
硬質の帽体と、該帽体内に取り付けられて人頭を囲繞するヘッドバンドと、該ヘッドバンドの後頭部側に設けられて該ヘッドバンドの周長を調節する調節機構と、着用者の耳下を巡り前記帽体側で両端が支持される一対の耳下紐と、一対の耳下紐に夫々の端部を接続した顎紐と、前記ヘッドバンドの後頭部側に位置する両端部の夫々に基端部が接続され、前記調節機構において互いに交差して斜め下方に延びる一対の調節帯とを備え、各調節帯の先端部を互いに離反する方向に引っ張り操作することにより前記ヘッドバンドの周長を人頭の外周寸法に合わせたとき、該ヘッドバンドの周長が前記調節機構により解除自在に維持されるヘルメットにおいて、
各調節帯は、その先端部に設けた接続部を介して夫々の前記耳下紐に接続され、
各調節帯の前記接続部は、前記耳下紐を挿通させる挿通部を備えて、該挿通部に挿通する前記耳下紐に沿って移動自在とされていることを特徴とするヘルメット。
【請求項２】
前記接続部は、前記調節帯の引っ張り操作の際に指掛け可能な指掛け部を有することを特徴とする請求項１記載のヘルメット。
【発明の詳細な説明】
【技術分野】
【０００１】
本発明は、帽体内のヘッドバンドを人頭の外周寸法に合わせて調節する調節機構を備えたヘルメットに関する。
【背景技術】
【０００２】
ヘルメットのヘッドバンドは、人頭に装着してヘルメットを人頭に固定する役割を果たすものである。そして、ヘッドバンドの周長は、人頭の外周寸法に合わせるために調節可能とされている。
【０００３】
従来、この種のヘッドバンドにおいては、その後頭部側で第１の端部と第２の端部とを重ね合わせ、第１の端部に設けられた突起を、第２の端部に所定間隔を存して形成された複数の孔部に選択的に係合させて、人頭の外周寸法に合わせた周長に維持させるものが知られている（例えば、下記特許文献１参照）。
【０００４】
しかし、このものでは、第１の端部の突起を第２の端部の孔部に係合させる操作は、後頭部側において手さぐりで行わなげればならない。このため、ヘッドバンドの周長を調節する操作が煩わしいだけでなく、調節操作を迅速に行うことが艱難であった。
【０００５】
そこで、本出願人は先に、ヘッドバンドの後頭部側にヘッドバンドの周長を調節する調節機構を設け、耳下紐の一端を帽体の前頭部側に連結し、耳下紐の他端をヘッドバンドの夫々の端部から調節機構において交差して延びる先端に接続させたヘルメットを提案した（下記特許文献２参照）。
【０００６】
調節機構は、例えばラチェット機構であり、ヘッドバンドの両端部から延びて互いに交差する部分を係止することにより、周長が短くなった状態を維持すると共に、その係止を解除することにより周長を長くすることができるようになっている。
【０００７】
これによれば、耳下紐又は耳下紐に接続した顎紐を引っ張るだけでヘッドバンドの周長を短縮させて人頭の外周に迅速に密着させることができ、ヘッドバンドの周長を調節する操作を極めて簡単に行うことができる。また、調節機構によるヘッドバンドの両端部の係止を解除するだけで、人頭からヘルメットを容易に外すことができる。
【先行技術文献】
【特許文献】
【０００８】
【特許文献１】実開平７−４３６５１号公報
【特許文献２】特許第４５４２４２５号公報（第１図）
【発明の概要】
【発明が解決しようとする課題】
【０００９】
ところで、ヘルメットを着用するときには、耳下紐又は顎紐を引っ張り操作してヘッドバンドを人頭に密着させるだけでなく、顎紐の長さを調節して着用者の顎下に密着させ、両耳下紐及び顎紐の弛みをなくす。これにより、ヘルメットを確実に人頭に固定することができる。
【００１０】
しかし、ヘルメットを脱ぐとき、両耳下紐及び顎紐に弛みのない状態で、調節機構によるヘッドバンドの両端部の係止を解除しても、ヘッドバンドの周長の伸長に伴い相対的に顎紐の締め付けが過剰となり、ヘッドバンドが人頭に密着した状態を円滑に解除することができない不都合がある。
【００１１】
以上の点に鑑み、本発明は、ヘッドバンドの周長を調節して人頭に密着させる操作が簡単なだけでなく、ヘッドバンドが人頭に密着した状態を円滑に解除することができるヘルメットを提供することを目的とする。
【課題を解決するための手段】
【００１２】
かかる目的を達成するために、本発明は、硬質の帽体と、該帽体内に取り付けられて人頭を囲繞するヘッドバンドと、該ヘッドバンドの後頭部側に設けられて該ヘッドバンドの周長を調節する調節機構と、着用者の耳下を巡り前記帽体側で両端が支持される一対の耳下紐と、一対の耳下紐に夫々の端部を接続した顎紐と、前記ヘッドバンドの後頭部側に位置する両端部の夫々に基端部が接続され、前記調節機構において互いに交差して斜め下方に延びる一対の調節帯とを備え、各調節帯の先端部を互いに離反する方向に引っ張り操作することにより前記ヘッドバンドの周長を人頭の外周寸法に合わせたとき、該ヘッドバンドの周長が前記調節機構により解除自在に維持されるヘルメットにおいて、各調節帯は、その先端部に設けた接続部を介して夫々の前記耳下紐に接続され、各調節帯の前記接続部は、前記耳下紐を挿通させる挿通部を備えて、該挿通部に挿通する前記耳下紐に沿って移動自在とされていることを特徴とする。
【００１３】
本発明によれば、各調節帯の先端部に接続部を設け、接続部の挿通部に耳下紐を挿通させて、接続部が耳下紐に沿って移動自在となるように構成されていることにより、調節帯と耳下紐とを接続状態としながら、調節帯を耳下紐から独立して耳下紐に沿って移動させることができる。これにより、ヘッドバンドの周長を短くして人頭の外周寸法に合わせるときに、両調節帯の先端部を引っ張り操作しても、耳下紐の長さは変化することがなく、また、調節機構によるヘッドバンドの周長維持を解除してヘッドバンドの周長を伸長させても、耳下紐に接続された顎紐の締め付け度合いも変化することがない。よって、ヘッドバンドの周長を調節して人頭に密着させる操作が簡単なだけでなく、ヘッドバンドが人頭に密着した状態を円滑に解除することができる。
【００１４】
また、本発明において、前記接続部は、前記調節帯の引っ張り操作の際に指掛け可能な指掛け部を有することが好ましい。これによれば、接続部の指掛け部に指を掛けて容易に調節帯を引っ張り操作することができ、ヘッドバンドの周長を調節する際の操作性を向上させることができる。
【図面の簡単な説明】
【００１５】
【図１】本発明の実施形態によるヘルメットを着用した場合の説明図。
【図２】（ａ）は接続部材の平面図、（ｂ）は接続部材の底面図。
【図３】耳下紐に接続した接続部材を示す説明的側面図。
【図４】調節機構を一部破断して示す説明的斜視図。
【発明を実施するための形態】
【００１６】
本発明の一実施形態を図面に基づいて説明する。図１に示すように、ヘルメット１は、金属又はプラスチックス等の硬質材料により形成された帽体２と、帽体２内部に設けられて人頭の周囲を囲繞するヘッドバンド３とを備えている。
【００１７】
また、ヘルメット１には、着用者Ｚの耳下を巡り、帽体２の内面等に両端が固定支持された左右一対の耳下紐４と、両耳下紐４に端部を接続した顎紐５とが設けられている。なお、図示を省略したが、更に帽体２の内部には、人頭に接するハンモックが設けられる。
【００１８】
ヘッドバンド３は、後頭部側に両端部が位置している。ヘッドバンド３の両端部の夫々には、調節帯７の基端部が連設されている。各調節帯７は接続部材８（接続部）を介して夫々の側の耳下紐４に接続されている。接続部材８は、各調節帯７の先端部に設けられた連結帯９に連結されている。
【００１９】
接続部材８は、図２（ａ）に示すように、連結帯９を連結する連結孔１０と、指掛け凸部１１（指掛け部）とを備えている。また、図２（ｂ）に示すように、一対の抱き込み片１２ａ，１２ｂからなる挿通部１２を備えている。
【００２０】
挿通部１２には、耳下紐４が挿通される。耳下紐４は、抱き込み片１２ａ，１２ｂ間に形成されている間隙を介して接続部材８への付け外しが可能となっている。そして、図３に示すように、挿通部１２に耳下紐４を挿通させた状態の接続部材８は、耳下紐４の長手方向に沿って移動自在とされる。このとき、接続部材８の指掛け凸部１１に指を掛けて、耳下紐４に沿って接続部材８を引っ張ることができ、調節帯７の引っ張り操作を容易に行うことができる。
【００２１】
帽体２の後頭部側には、ヘッドバンド３の長さを調節する調節機構１３が設けられている。ここで、本実施形態で採用した調節機構１３について説明する。
【００２２】
調節機構１３は、図４に示すように、カバー１４と、カバー１４の内部に設けられた同期歯車１５と、同期歯車１５と同軸で一体に回転するラチェット歯車１６と、ラチェット歯車１６の歯に係合する爪部材１７と、爪部材１７をラチェット歯車１６から離反させるリリースボタン１８とを備えている。なお、図４においては、カバー１４の一部を破断して内部を示している。また、ラチェット歯車１６は円形であり同期歯車１５の回転軸１９に支持されているが、図４においては、説明の便宜上ラチェット歯車１６の一部を切欠いて同期歯車１５を示している。
【００２３】
ヘッドバンド３の両端部から延びる一対の調節帯７は、調節機構１３のカバー１４内で１箇所で重なって所定の角度を持って交差している。各調節帯７の交差位置を含む部分には所定の長さに亘る長穴２０が形成されており、長穴２０の長手方向の一側内縁には鋸歯状歯２１が形成されている。
【００２４】
同期歯車１５は、調節帯７の鋸歯状歯２１と噛み合っている。これにより、同期歯車１５の回転に伴い、各調節帯７がその長さ方向に沿って互いに反対方向に同一距離移動する。
【００２５】
爪部材１７は、ラチェット歯車１６に対して接近方向と離反方向とに搖動自在に設けられ、図示しないバネにより弾発的にラチェット歯車１６の歯に係合する。このとき、爪部材１７は、ラチェット歯車１６の回転を一方向にのみ規制する。
【００２６】
リリースボタン１８は、その押圧操作によって爪部材１７をラチェット歯車１６から離反する方向に搖動させるように構成されている。これにより、リリースボタン１８を押圧操作することにより爪部材１７によるラチェット歯車１６の規制が解除され、調節帯７を長手方向の何れの方向にも移動可能となる。
【００２７】
図１及び図４を参照して、ヘルメット１を着用する場合は、先ず、リリースボタン１８を押圧して爪部材１７をラチェット歯車１６から離反させ、リリースボタン１８を押したまま調節機構１３を後方に引く。これにより、同期歯車１５とラチェット歯車１６とが共に半時計方向に回転し、両調節帯７の移動によりヘッドバンド３の周長が長くなる。
【００２８】
その状態でリリースボタン１８の押圧を解除すると、爪部材１７がラチェット歯車１６の歯に係合し、ラチェット歯車１６及び同期歯車１５は半時計方向への回転が阻止されて一方向（ヘッドバンド３の周長が短くなる方向）にのみ回転可能となる。
【００２９】
続いて、ヘッドバンド３の周長を長くした状態でヘルメット１を頭にかぶり、両調節帯７の先端部に設けられている両接続部材８を斜め下方に引き下げる。これにより、同期歯車１５とラチェット歯車１６とが共に時計方向に回転し、両接続部材８の夫々が耳下紐４に沿って移動する。同時に、ヘッドバンド３の周長が短くなり、着用者Ｚの頭を締め付ける。ヘッドバンド３の締め付けが丁度よい状態になったときに両接続部材８の引っ張り操作を停止させると、その位置で爪部材１７とラチェット歯車１６の歯との係合が維持されて、ヘッドバンド３の周長が固定される。その後、顎紐５の長さを調節してその弛みを除去し、着用者Ｚの顎下に顎紐５を密着させる。
【００３０】
このように、両接続部材８を引っ張るだけでヘッドバンド３の周長を簡単に調節することができ、ヘルメット１を迅速に着用することができる。
【００３１】
ヘルメット１を脱ぐ場合は、先ず、リリースボタン１８を押圧して爪部材１７をラチェット歯車１６から離反させ、リリースボタン１８を押したまま調節機構１３を後方に引く。これにより、同期歯車１５とラチェット歯車１６とが半時計方向に回転し、両調節帯７の移動によりヘッドバンド３の周長が長くなる。
【００３２】
そして、両調節帯７がヘッドバンド３側に向かう方向に移動し、両接続部材８も移動する。このとき、両接続部材８は耳下紐４に沿って移動自在に接続されていることにより、両接続部材８の移動に伴う耳下紐４及び顎紐５の引っ張りは生じない。これにより、顎紐５が着用者Ｚの顎下を過剰に締め付けることなく、ヘッドバンド３による着用者Ｚの頭の締め付けが緩む。その後、顎紐５を顎下から外して、ヘルメット１を脱ぐことができる。
【符号の説明】
【００３３】
１…ヘルメット、２…帽体、３…ヘッドバンド、４…耳下紐、５…顎紐、７…調節帯、８…接続部材（接続部）、１１…指掛け凸部（指掛け部）、１２…挿通部、１３…調節機構。
【図１】
2015059279.tif 000003
【図２】
2015059279.tif 000004
【図３】
2015059279.tif 000005
【図４】
2015059279.tif 000006